(57)【要約】【課題】  尻尾を引き出す孔からの尿漏れを防止し、また糞の後始末にかかる手間暇を軽減すると共に、排泄した糞が原因となるペットのストレスを解消する。【解決手段】  四足ペット１の腹から後足２の股にあてがう腹当て部３と、尻にあてがう尻当て部４とを一体状に連続して形成する。ペット１の尻尾１ａを引き出すための孔７を、尻当て部４に形成する。この尻当て部４を、孔７から開いて左右一対の分割片４ａに形成すると共に、この分割片４ａ同士を接着自在に形成する。上記の孔７を、その周縁にシャーリング８を施して収縮自在に形成する。腹当て部３の内側で且つペット１の肛門寄りの股の位置に、糞１１の収納部１０を、肛門の側に口１０ａを開口して袋状に形成する。【選択図】      図１
2007228884.tif 000002
【特許請求の範囲】
【請求項１】
四足ペットの腹から後足の股にあてがう腹当て部と、尻にあてがう尻当て部とが一体状に連続して形成され、上記のペットの尻尾を引き出すための孔が尻当て部に形成され、この尻当て部が孔から開かれて左右一対の分割片に形成されると共に、この分割片同士が接着自在に形成されているペット用の紙おむつであって、上記の孔が、その周縁にシャーリングが施されて収縮自在に形成され、上記の腹当て部の内側で且つペットの肛門寄りの股の位置に、糞の収納部が、肛門の側に口が開口されて袋状に形成されていることを特徴とするペット用の紙おむつ。
【請求項２】
請求項１記載のペット用の紙おむつであって、糞の収納部が、シート片を腹当て部の内面に口以外の周辺を固着することにより、有袋類の育児嚢状に形成されていることを特徴とするペット用の紙おむつ。
【請求項３】
請求項２記載のペット用の紙おむつであって、シート片の口縁にシャーリングが施されていることを特徴とするペット用の紙おむつ。
【請求項４】
請求項１乃至３の何れかに記載のペット用の紙おむつであって、ペットの尻の少なくとも一方の側を覆う状態に腹当て部と尻当て部の側縁同士が接続され、パンツ型に形成されていることを特徴とするペット用の紙おむつ。
【発明の詳細な説明】
【技術分野】
【０００１】
本発明は、使い捨て式のペット用の紙おむつに関し、更に詳しくは犬等の尻尾を有する四足ペットに使用するペット用の紙おむつに関するものである。
【背景技術】
【０００２】
従来この種の紙おむつとしては、例えばペットの尻尾を引き出すための孔状の開口部を背当部に形成し、この開口部に連通する切欠部を背当部に形成すると共に、切欠部で分離する両片を接着テープで接着可能に形成しているものがある（例えば特許文献１参照）。
【０００３】
ところでこの種の紙おむつは、尿が隙間から漏れ出ないよう尿を確実に捕集でき、また糞の後始末を簡単、迅速にでき、ペット自体も自分の排泄した糞でストレスが起きないよう形成されているのが望ましい。
しかるに従来品は、尻尾を引き出すための開口部と尻尾との間に生じる隙間から尿が漏れ出す、という問題点があった。
また従来品は、ペットが糞を排泄すると、糞がペットの尻や腹に付着し、ペットの体を汚すのを避けられなかった。そのため従来品を使用すると、飼い主は、ペットを洗う必要が生じ、後始末に手間暇がかかり、またペットにストレスを生じさせ易い、という問題点があった。
【特許文献１】特開平７−２３６３８０号公報
【発明の開示】
【発明が解決しようとする課題】
【０００４】
本発明は、このような従来品の問題点に鑑み、提案されたものである。
従って本発明の解決しようとする技術的課題は、尻尾を引き出す孔からの尿漏れを確実に防止でき、また排泄した糞がペットの尻や腹を汚すことを防止し、糞の後始末にかかる手間暇を軽減でき、ペットがストレスを起こすことがないよう形成したペット用の紙おむつを提供することにある。
【課題を解決するための手段】
【０００５】
本発明は、上記の課題を解決するため、次のような技術的手段を採る。
即ち本発明は、四足ペット１の腹から後足２の股にあてがう腹当て部３と、尻にあてがう尻当て部４とが一体状に連続して形成され、上記のペット１の尻尾１ａを引き出すための孔７が尻当て部４に形成され、この尻当て部４が孔７から開かれて左右一対の分割片４ａに形成されると共に、この分割片４ａ同士が接着自在に形成されているペット用の紙おむつであって、上記の孔７が、その周縁にシャーリング８が施されて収縮自在に形成され、上記の腹当て部３の内側で且つペット１の肛門寄りの股の位置に、糞１１の収納部１０が、肛門の側に口１０ａが開口されて袋状に形成されていることを特徴とする（請求項１）。
【０００６】
本発明の場合、左右一対の分割片４ａは、通常、略同じ大きさに形成されるが、大きさを違えて形成されるのでも良い。またここで、接着自在に形成されている、とは、一対の分割片４ａ同士を、切り離し箇所を介してくっ付けたり離したりすることが自由にできる、ということを意味し、具体的には面状ファスナーや、剥離自在の粘着テープで切り離し箇所を接着することで実現される。
【０００７】
本発明の場合、糞１１の収納部１０は、シート片を腹当て部３の内面に口１０ａ以外の周辺を固着することにより、有袋類の育児嚢状に形成されているのが好ましい（請求項２）。
なぜならこれによると、収納部１０を、簡単に且つ嵩張ることなく形成でき、しかも腹当て部３の内面の吸水性樹脂の性能を低下することなく、この内面を活用して糞１１を確実に収納、捕集できるからである。本発明の場合、シート片は、通常、腹当て部３の内面と同じ吸水性樹脂材で形成されているのが好ましいが、これに限定されるものではない。またシート片の固着の手段としては、例えば縫合や、接着、溶着等がある。
【０００８】
またこの場合本発明は、シート片の口縁にシャーリング１２が施されているのが好ましい（請求項３）。
なぜならこれによると、シート片の口縁が腹当て部３の内面から離されて口１０ａが開かれ易くなり、糞１１を、収納、捕集し易くなるからである。口縁のシャーリング１２は、口縁の全長にわたって形成されるのでも、中央部を中心に横方向に一定の長さにわたって形成されるのでも良い。
【０００９】
また本発明は、図４〜図７に示されるように、ペット１の尻の少なくとも一方の側を覆う状態に腹当て部３と尻当て部４の側縁同士が接続され、パンツ型に形成されているのが好ましい（請求項４）。
なぜならこれによると、腹当て部３と尻当て部４が展開状態の場合に比べ、より簡単、迅速に装着でき、使い勝手が良くなるからである。ここで、少なくとも一方の側を覆う状態に、とは、ペット１の尻の両側を覆うように、腹当て部３から尻当て部４に連ねて形成されているのでも良い、ということを意味する。
【発明の効果】
【００１０】
本発明は、このように孔の周縁にシャーリングが施され、腹当て部の内側で且つペットの肛門寄りの股の位置に、糞の収納部が、肛門の側に口が開口されて袋状に形成されているものである。
従って本発明の場合は、孔の周縁のシャーリングが尻尾を締め付け、またペットが糞をすると、この糞を収納部が、収納、捕集する。
それ故これによれば、尻尾を引き出す孔と尻尾との隙間から尿が漏れ出ることを防止できる。また本発明は、排泄した糞でペットの尻や腹が汚れることを防止できるから、これによると糞の後始末にかかる手間暇を軽減でき、ペットのストレスを解消できる。
【発明を実施するための最良の形態】
【００１１】
以下、本発明を実施するための最良の形態を説明する。
本発明は、図１等に示されるように、犬等の四足ペット１の腹から後足２の股にあてがう腹当て部３と、尻にあてがう尻当て部４とが一体状に連続して形成されている。
【００１２】
上記の腹当て部３は、長手方向に沿った両側縁の適宜位置に、雄型の面状ファスナー５ａを有する舌片状の接着部５が、接着面を腹当て部３の内面と同じ側にして、２個づつ設けられている。この接着部５は、装着時に尻当て部４の外面の雌型の面状ファスナー６に付けられ、腹当て部３と尻当て部４とを連結するためのものである。この尻当て部４の雌型の面状ファスナー６は、ペット１の体形に合わせて雄型の面状ファスナー５ａの止め位置を柔軟に変更できるよう、面積が大きく形成されている。
【００１３】
また尻当て部４は、ペット１の尻尾１ａを引き出すための孔７から開かれて左右一対の分割片４ａに形成されている。孔７は、その周縁にシャーリング８が施され、ペット１の尻尾１ａを軽く締め付けることができるよう収縮自在に形成されている。シャーリング８は、左右一対の分割片４ａの、ペット１の股に対応する中央位置の縁に所定の長さにわたって形成され、孔７は分割片４ａが尻尾１ａを挟んで交差状に反されることにより、形作られる。左右一対の分割片４ａ同士は、この実施形態では略同じ大きさに形成され、接着自在に形成されている。具体的には、一方の分割片４ａの切り離し箇所の側縁に、雄型面状ファスナー９ａを有する舌片９が、一定の間隔をあけて２個設けられている。そしてこの舌片９が、各分割片４ａの外面に設けられている上記の雌型の面状ファスナー６に付けられ、これにより分割片４ａ同士が接着可能に形成されている。
【００１４】
１０は、糞１１の収納部である。この収納部１０は、上記の腹当て部３の内側で、且つペット１の肛門寄りの股の位置に、肛門の側に口１０ａが開口されて袋状に形成されている。この実施形態に係る収納部１０は、腹当て部３の内面と同じ吸水性樹脂材のシート片を、腹当て部３の内面に口１０ａ以外の周辺を縫合することにより、有袋類の育児嚢状に形成されている。またこの実施形態では、シート片の口縁の中央部に、シャーリング１２が横方向に一定の長さにわたって施され、口縁の中央部に生地が寄って口縁が収縮するよう形成されている。
【００１５】
次に本発明の使い方を説明する。
飼い主は、先ずペット１の腹に腹当て部３をあてがい、尻当て部４を尻から背中に回し、一対の分割片４ａを尻尾１ａを挟んで交差させ、一方の分割片４ａの雄型面状ファスナー９ａを、他方の分割片４ａの雌型の面状ファスナー６に付け、尻当て部４でペット１の尻を覆う。次に腹当て部３の舌片状の接着部５を、尻当て部４の雌型の面状ファスナー６にくっ付ける。これにより本発明品が、ペット１に装着される（図１Ａ、図２参照）。
【００１６】
而して本発明品の場合、尿は、主として腹当て部３の内面の吸水性樹脂により捕集される。そして本発明では、孔７と尻尾１ａとの隙間が孔７の周縁のシャーリング８により塞がるため、この箇所から尿が漏れ出すことがない。また排泄された糞１１は、収納部１０に落下して収納、捕集される。従って本発明によれば、ペット１の尻などが糞１１で汚れることがない。本発明品をペット１から外すときは、上記の装着時と逆の手順で各接着箇所を剥がして行う。
【００１７】
以上の処において、本発明は、図４、図６に示されるように、パンツ型に形成されているのでも良い。図４に示される本発明品は、腹当て部３と尻当て部４が股の部分と、両側（図４Ａ、Ｂにおいて、左右の部分）とが、最初から接続されてパンツ型に形成されている。尻当て部４は、上例と同様、孔７から開かれている。ペット１の股に対応する尻当て部４の中央位置にシャーリング８が施されて収縮可能に形成されている。そして上例と同様、この位置が、尻尾１ａ（図５等参照）を引き出す孔７として機能するよう形成されている。
【００１８】
尻当て部４の一方の側縁には、上例と同様、雄型面状ファスナー９ａを有する舌片９が、この実施形態では一定の間隔をあけて３個設けられている。また尻当て部４の外面には、雌型の面状ファスナー６が設けられている。またペット１の股に対応する部分の両側に、ペット１の後足２を通すための開口部１３が形成されている。この開口部１３の周縁は、尿等の漏れを防止できるよう、シャーリング１４が施され、後足２を軽く締め付けることができるよう収縮可能に形成されている。また腹当て部３と尻当て部４の、図面上において上縁にあたる開口縁１５は、ゴム糸等で伸縮するよう形成され、装着時（図５参照）に、ペット１の腹回りを軽く締めて脱げ落ちないよう形成されている。その他の構成は、上例と同様である。
【００１９】
従ってこの実施形態の本発明品の場合は、開口部１３にペット１の後足２を入れ、尻尾１ａを孔７の位置に配置して雄型面状ファスナー９ａを、尻当て部４の雌型の面状ファスナー６にくっ付けて接着することにより、本発明品を、簡単、迅速に、ペット１にはかせて装着できる。
【００２０】
また図６に示される本発明品は、同図Ａにおいて、尻当て部４の左側が、腹当て部３から切り離されている。この分割された尻当て部４は、雄型面状ファスナー９ａを有する舌片９が、雌型の面状ファスナー６にくっ付けられ、接着部５の雄型の面状ファスナー５ａが雌型の面状ファスナー６にくっ付けられることにより、ペット１に装着可能に形成されている。またペット１の後足２を入れる開口部１３は、図６Ａにおいて、右側は完全な貫通孔状に形成されているのに対し、左側は、尻当て部４の左側縁と、腹当て部３の左側の側縁との間の、シャーリング１６を施した箇所で形作るよう形成されている。この本発明品の場合も、図６において、上縁にあたる開口縁１５は、ゴム糸等で伸縮するよう形成され、装着時（図７参照）に、ペット１の腹回りを軽く締めて脱げ落ちないよう形成されている。その他の構成は、上例と同様である。
【００２１】
従ってこの実施形態の本発明品の場合は、図６Ａにおいて、右側の開口部１３にペット１の一方の後足２を入れ、尻尾１ａをシャーリング８の位置に配置して尻当て部４を矢示のようにかえしてペット１の尻を覆う。そして飼い主は、舌片９の雄型面状ファスナー９ａを、雌型の面状ファスナー６にくっ付け、次にペット１の他方の後足２をシャーリング１６が施された箇所に配置し、腹当て部３の舌片状の接着部５を、尻当て部４の雌型の面状ファスナー６にくっ付けて接着する。これにより、図７に示されるように、本発明品がペット１に装着される。この本発明の場合も、上例と同様、ペット１にはかせて装着するため、ペット１が動いても本発明品を楽に装着できる。
【図面の簡単な説明】
【００２２】
【図１】本発明の紙おむつの好適な一実施形態を示し、Ａは使用状態時の要部側面図、Ｂは内面側から見た斜視図である。
【図２】同上紙おむつの使用状態時の側面図である。
【図３】同上紙おむつの内面側から見た平面図である。
【図４】同上紙おむつの他の実施形態を示し、Ａは使用例を説明するための平面図、Ｂは尻当て部を閉じたときの底面図である。
【図５】図４に係る本発明品の装着時の要部側面図である。
【図６】同上紙おむつの更に他の実施形態を示し、Ａは使用例を説明するための平面図、Ｂは尻当て部を閉じたときの底面図である。
【図７】図６に係る本発明品の装着時の要部側面図である。
【符号の説明】
【００２３】
１      ペット
１ａ    尻尾
２      後足
３      腹当て部
４      尻当て部
４ａ    分割片
７      孔
８      シャーリング
１０    収納部
１０ａ  口
１１    糞
【図１】
2007228884.tif 000003
【図２】
2007228884.tif 000004
【図３】
2007228884.tif 000005
【図４】
2007228884.tif 000006
【図５】
2007228884.tif 000007
【図６】
2007228884.tif 000008
【図７】
2007228884.tif 000009